(57)【要約】【課題】  被写体を撮像する撮像機器にて撮像した画像を外部の表示装置に出力可能な撮像装置の使い勝手の改善を図る。【解決手段】  撮像装置１００は、本体１１０とこれを支える脚として機能する蓋体１１２とを備え、本体１１０に、コントローラ２００等の電子機器を内蔵する。蓋体１１２は、本体１１０の一端側に回動自在に係合され、本体１１０と重なった第１姿勢と、本体１１０から一端が離れて本体とＶ字状となる第２姿勢とを取る。蓋体１１２は、この第２姿勢において、机等の上面対して傾斜した姿勢の本体１１０を支え、この本体１１０と蓋体１１２とで、机等の被写体載置物の上面の被写体を跨ぐ跨ぎ領域ＭＲを形成する。そして、この跨ぎ領域ＭＲに置かれた被写体Ｈを跨いだ状態で、撮像装置１００は、その有する撮像部１３０を被写体Ｈに向かわせる。【選択図】  図３
2005300960.tif 000002
【特許請求の範囲】
【請求項１】
被写体を撮像する撮像機器を備え、該撮像機器の撮像画像を画像信号として外部の表示装置に出力する撮像装置であって、
画像信号の生成に関与する電子機器の少なくとも一部を内蔵する本体と、
該本体の一端側に装着され、前記被写体撮像時の本体の支えとなる脚とを備え、
該脚は、
前記本体と重なった第１姿勢と、前記本体がその他端側で前記被写体の載置物の上面に接して該上面に対して傾斜するよう前記本体を支える第２姿勢とを取り得るよう前記本体に装着され、
前記本体と前記脚は、
前記第２姿勢を取った前記脚と前記傾斜した前記本体とで前記被写体載置物上面の前記被写体を跨ぐ跨ぎ領域を形成し、前記被写体を跨いだ状態で、前記撮像機器が前記被写体に向かうよう前記撮像機器を前記脚の装着端側に備える、
撮像装置。
【請求項２】
請求項１記載の撮像装置であって、
前記脚は、
前記第１姿勢から前記第２姿勢に姿勢を変えた際には、前記跨ぎ領域の前記被写体載置物上面と前記被写体に向かう前記撮像機器との隔たりを維持する
撮像装置。
【請求項３】
請求項２記載の撮像装置であって、
前記脚を前記本体に装着保持する脚保持機構を備え、
該脚保持機構は、
ユーザが前記脚を前記第１姿勢から前記第２姿勢に姿勢変化させると、前記第２姿勢において前記ユーザに節度感を付与する
撮像装置。
【請求項４】
請求項１ないし請求項３いずれか記載の撮像装置であって、
前記本体は、
前記跨ぎ領域の前記被写体に前記撮像機器が向かう姿勢と、前記跨ぎ領域以外に前記撮像機器が向かう姿勢とを取り得るように、前記撮像機器を備える、
撮像装置。
【請求項５】
請求項１ないし請求項３いずれか記載の撮像装置であって、
前記本体は、
前記脚が前記第１姿勢から前記第２姿勢に姿勢を変えると、前記跨ぎ領域の前記被写体に前記撮像機器を向かわせる撮像機器保持機構を備える、
撮像装置。
【請求項６】
請求項１ないし請求項５いずれか記載の撮像装置であって、
前記脚は、
前記跨ぎ領域に外部から光を導く採光窓を有する
撮像装置。
【請求項７】
請求項１ないし請求項６いずれか記載の撮像装置であって、
前記本体は、
前記撮像機器が撮像した画像を前記電子機器の生成した画像信号に基づき表示する表示部を備える
撮像装置。
【請求項８】
請求項７記載の撮像装置であって、
前記本体は、
前記表示部に前記画像を表示しつつ、前記画像信号を前記外部の表示装置に出力する
撮像装置。
【請求項９】
請求項７記載の撮像装置であって、
前記表示部による画像表示と、前記画像信号の出力を介した前記外部の表示装置による画像表示とを切り換える
撮像装置。
【請求項１０】
請求項７ないし請求項９いずれか記載の撮像装置であって、
前記本体は、
外部の画像信号出力装置からの画像信号を入力する機器を備え、
前記外部の画像信号出力装置からの画像信号に基づく画像の前記表示部による画像表示と、前記撮像機器が撮像した画像の前記表示部による画像表示とを切り換える
撮像装置。
【請求項１１】
請求項１ないし請求項１０いずれか記載の撮像装置であって、
前記本体と前記脚の少なくとも一方は、
前記跨ぎ領域の前記被写体を照射する照明機器を有する
撮像装置。
【請求項１２】
請求項１ないし請求項１１いずれか記載の撮像装置であって、
前記本体は、
集音機器と、集音した音声を音声信号として外部の音声出力機器に出力する音声出力機器とを備える
撮像装置。
【発明の詳細な説明】
【技術分野】
【０００１】
本発明は、被写体を撮像する撮像機器を備え、該撮像機器の撮像画像を画像信号として外部の表示装置に出力する撮像装置に関する。
【背景技術】
【０００２】
こうした撮像装置は、撮像画像をテレビ等のディスプレイに大画面で表示したりできることから、種々提案されている（例えば、特許文献１）。
【０００３】
【特許文献１】特開平８−８４２９４号公報
【発明の開示】
【発明が解決しようとする課題】
【０００４】
この特許文献で提案された撮像装置では、テーブル等の上面に置かれた写真等の被写体を容易に撮影できるものの、こうした被写体撮影時には、左右のアームで装置本体を持ち上げるようにしなければならない。よって、装置重心が比較的高い位置になるので、装置の安定性が高いとは言えず、その改善の余地が残されていた。また、左右のアームを開く必要があるため、取り扱いの上でも改善の余地が残されていた。
【０００５】
本発明は、上記問題点を踏まえ、被写体を撮像する撮像機器にて撮像した画像を外部の表示装置に出力可能な撮像装置の使い勝手の改善を図ることを目的とする。
【課題を解決するための手段】
【０００６】
かかる目的を達成するため、本発明の撮像装置は、本体とこれを支える脚とを備え、本体には、撮像機器の撮像画像を画像信号として外部の表示装置に出力するためにその画像信号の生成に関与する電子機器の少なくとも一部を内蔵する。脚は、本体の一端側に装着され、本体と重なった第１姿勢と、本体がその他端側で被写体の載置物の上面に接して当該上面に対して傾斜するよう本体を支える第２姿勢とを取り得る。また、本体は、第２姿勢を取った脚と傾斜した本体自身とで、被写体載置物上面の被写体を跨ぐ跨ぎ領域を形成し、この被写体を跨いだ状態で、撮像機器が被写体に向かうようにして、撮像機器を脚の装着端側に備える。
【０００７】
このため、本発明の撮像装置は、跨ぎ領域にある被写体載置物上面の被写体の撮像に際して、本体をこの被写体載置物上面に対して傾斜させるに過ぎないので、装置重心を不用意に高くしない。よって、被写体撮像時の安定性に優れる。また、被写体撮像に際しても、本体に装着された脚を、本体を傾斜して支えるよう第２姿勢にするだけで済むので、その取り扱いも簡便である。
【０００８】
こうした本発明の撮像装置において、脚は、上記の第２姿勢とされると、跨ぎ領域の被写体載置物上面と被写体に向かう撮像機器との隔たりが維持する。こうすれば、撮像機器を固定焦点タイプのものとできるので、構成の簡略化、延いては装置の小型軽量化を図ることができるので、持ち運び等の便が高まる。
【０００９】
また、脚を本体に装着するに当たって、脚保持機構を有するものとし、ユーザが脚を第１姿勢から第２姿勢に姿勢変化させる際に、この脚保持機構により、第２姿勢においてユーザに節度感を付与するようにすることもできる。こうすれば、節度感により、ユーザは脚が第２姿勢の位置となったことを知覚できるので、好ましい。
【００１０】
この他、撮像機器が跨ぎ領域の被写体に向かう姿勢と、撮像機器が跨ぎ領域以外に向かう姿勢とを取り得るように、撮像機器を本体に備えるようにすることもできる。こうすれば、撮像機器による撮像の自由度が増すので、多様な使い方を提供できる。
【００１１】
また、脚が第１姿勢から第２姿勢に姿勢を変えると、撮像機器を跨ぎ領域の被写体に向かわせる撮像機器保持機構を備えるようにすることもできる。こうすれば、脚の姿勢変化に追従して撮像機器の向きが定まるので、跨ぎ領域の被写体撮像に際しては、脚の姿勢を変化させるだけで済むので、簡便である。
【００１２】
しかも、脚に、跨ぎ領域に外部から光を導く採光窓を設けることもできる。こうすれば、被写体撮像に際しての光量不足を招きにくくできるので、好ましい。
【００１３】
更に、撮像機器が撮像した画像を電子機器の生成した画像信号に基づき表示する表示部を本体に設けることもできる。こうすれば、撮像機器で撮像した画像を本体側で視認でき、好ましい。
【００１４】
このように表示部を本体に備えた上で、表示部に撮像画像を表示しつつその画像信号を外部の表示装置に出力したり、表示部による画像表示と外部の表示装置による画像表示とを切り換えるようにすることもできる。こうすれば、画像表示についての多様な使い方を提供できる。
【００１５】
また、本体に、外部の画像信号出力装置からの画像信号を入力する機器を設け、この外部の画像信号出力装置からの画像信号に基づく画像の表示部による画像表示と、撮像機器が撮像した画像の表示部による画像表示とを切り換えるようにすることもできる。こうしても、画像表示についての多様な使い方を提供できる。
【００１６】
更に、本体と脚の少なくとも一方に、跨ぎ領域の被写体を照射する照明機器を設けることができ、こうすれば、蓋体１１２と本体１１０で遮られる跨ぎ領域の光量をより有効に補うことができる。
【００１７】
また、本体に、集音機器と、集音した音声を音声信号として外部の音声出力機器に出力する音声出力機器とを備え付けることもできる。こうすれば、画像と共に音声出力もできるので、多様な使い方を提供できる。
【発明を実施するための最良の形態】
【００１８】
以下、本発明の実施の形態について順次説明する。図１は第１実施例の撮像装置１００の概略斜視であって蓋を閉じた状態の斜視図、図２は同じく蓋を閉じた状態の撮像装置１００の正面・側面および背面を示す説明図、図３はこの撮像装置１００の机上面の被写体撮像時の状態を示す斜視図、図４は撮像装置１００にて周囲を撮像する際の状態を示す斜視図である。
【００１９】
図示するように、この撮像装置１００は、携帯性を備えた手帳サイズとされ、本体１１０に、蓋体１１２を装着して備える。本体１１０は、中空の筐体とされ、その内部に後述する電子機器を内蔵し、蓋体１１２で覆われない側の表面には、液晶表示パネル１１４と、各種ボタン群を有する。また、本体１１０は、その一方側面に、電源コネクタ１１６、メモリデバイスの装着部１１８、外部への信号入力のための出力コネクタ１２０（例えば光コネクタ、同軸ケーブルコネクタ、ＵＳＢ（universal serial bus）端子等）を、他方の側面には、ビデオカメラ、パソコン等の外部の映像機器からの映像信号・画像信号入力のためのビデオ入力端子１２２を有する。この他、本実施例では、本体１１０に集音マイク１２３を備える。なお、説明の便宜上、動画・静止画の映像信号・画像信号を単に画像信号と称することとする。
【００２０】
蓋体１１２は、本体１１０の長手方向の一端（上端）側に係合して装着され、被写体撮像時においてこの本体１１０の支えとなる脚として機能する。そして、この蓋体１１２は、本体との係合箇所を中心に開閉し、本体１１０と重なった第１姿勢（図１参照）と、本体１１０から一端が離れて本体とＶ字状となる第２姿勢とを取り得る。この第２姿勢では、蓋体１１２と本体１１０とがＶ字状であることから、被写体載置物、例えば机の上面において、蓋体１１２は、机上面に本体一端（本体下端）側で接して当該机上面に対して傾斜した姿勢の本体１１０を支える。
【００２１】
蓋体１１２は、図示するように本体１１０を覆う板状の蓋部位１１２ａと、その両サイドから垂れたフラップ部位１１２ｂと、蓋部位１１２ａの裏面（本体側の面）のブリッジ部位１１２ｃとを有する。蓋部位１１２ａは、図１に示すように、本体１１０と重なった場合に、撮像装置１００全体の底面部材として機能する。フラップ部位１１２ｂは、蓋体１１２の補強機能と、本体側面の覆いとしての機能を果たし、蓋体１１２が第１姿勢（図１参照）を取った場合であっても、電源コネクタ１１６等を露出させる。ブリッジ部位１１２ｃは、蓋体１１２が第１姿勢（図１参照）を取った場合に本体１１０の裏面に当接し、第１姿勢の蓋体１１２の蓋部位１１２ａと本体１１０とがほぼ平行となるように機能する。よって、蓋体１１２が第１姿勢（図１参照）を取った場合の撮像装置１００は、机上面等に液晶表示パネル１１４を上にして載置されて使用可能であり、この状態で、ビデオ入力端子１２２からのビデオカメラ、パソコン等の外部の映像機器からの画像信号入力、出力コネクタ１２０からの画像信号・音声信号の出力、並びに装着部１１８へのメモリ装着が可能となる。こうした使用の形態において、撮像装置１００は、ビデオ入力端子１２２から入力した画像信号、或いはメモリ内の画像信号に基づいて、その映像を液晶表示パネル１１４に表示可能である。また、これら信号をスルーして出力コネクタ１２０からモニタ等の外部の表示装置に出力することもできる。
【００２２】
本体１１０は、蓋体１１２の装着側に、撮像部１３０を備える。図５は撮像部１３０の取り得る姿勢を説明するための説明図である。撮像部１３０は、その内部に、ＣＣＤ撮像素子やレンズ群等の撮像機器を収納し、蓋体１１２の装着側に当たる本体１１０の一端中央の二股部に装着されている。そして、撮像部１３０は、図１および図５に示す矢印Ｘの方向に回動自在とされている。蓋体１１２は、こうした撮像部１３０の回動軌跡と干渉しないよう、その蓋部位１１２ａの上端中央に切欠１１２ｄを有する。
【００２３】
こうした機器構成を有する撮像装置１００は、上記した本体１１０に対して蓋体１１２が図３のように第２姿勢を取ることで、傾斜した本体１１０と蓋体１１２がＶ字となり、図５に示すように、机等の被写体載置物上面の被写体を跨ぐ跨ぎ領域ＭＲを形成する。そして、この跨ぎ領域ＭＲに置かれた被写体Ｈを跨いだ状態で、撮像装置１００は、その有する撮像部１３０を被写体Ｈに向かわせ、撮像部１３０で撮像した被写体画像を、自身の液晶表示パネル１１４に表示したり、この表示と共に、当該画像信号を出力コネクタ１２０からモニタ等の外部の表示装置に出力することもできる。或いは、液晶表示パネル１１４での画像表示と、外部の表示装置による画像表示とを切り換えることもできる。さらに、上記した被写体撮像のための姿勢であっても、撮像装置１００は、ビデオ入力端子１２２を介して外部の映像機器から入力した画像信号、装着部１１８に装着したメモリ内の画像信号に基づいて、その映像を液晶表示パネル１１４に表示可能である。また、これら信号をスルーして出力コネクタ１２０からモニタ等の外部の表示装置に出力することもできる。このように跨ぎ領域ＭＲの被写体Ｈに撮像部１３０を向かわせた撮像装置１００は、被写体Ｈの画像の表示に多用されることから、図５に実線で示す姿勢を、以下便宜上、被写体撮像姿勢と呼ぶ。
【００２４】
その一方、撮像装置１００は、ユーザにより撮像部１３０が図５中の二点鎖線で示すような位置に回動されると、本体１１０の上端中央の撮像部収容切欠１１０ａの顎１１０ｂで撮像部１３０を支える。撮像装置１００は、撮像部１３０をこの姿勢とすることで、本体１１０の正面の様子を撮像し、その画像を上記のように液晶表示パネル１１４や外部の表示装置に表示させる。こうした場合の撮像装置１００は、インターネットを経由した画像送信に多用されることから、図５に二点鎖線で、図４には実線で示す姿勢を、以下便宜上、ｗｅｂカメラ姿勢と呼ぶ。
【００２５】
次に、撮像装置１００が有する照明ユニットについて説明する。図６は照明ユニットの装着の様子を説明するための説明図、図７は照明ユニット１４０の分解図と完成図を示す説明図である。
【００２６】
図６に示すように、撮像装置１００は、本体１１０に装着された撮像部１３０の左右の隆起部１１０ｃの斜面１１０ｄに照明ユニット１４０を有する。この照明ユニット１４０は、図７に示すように、光源となる２本のＬＥＤ１４１をコの字状に屈曲したホルダ１４２に装着して備える。このホルダ１４２の開口部には、湾曲した光反射板１４３が組み込み固定され、ＬＥＤ１４１の光を、ホルダ１４２の透光窓１４４に集める。照明ユニット１４０は、透光窓１４４を覆うように光拡散板１４５を備え、この光拡散板１４５が斜面１１０ｄに露出するようにして、本体１１０に組み込まれている。
【００２７】
この斜面１１０ｄは、撮像装置１００（蓋体１１２）が上記した被写体撮像姿勢を取る場合に、跨ぎ領域ＭＲにおける被写体Ｈに対して斜めに対向するようにされているので（図５参照）、照明ユニット１４０は、被写体Ｈを斜め上方から照射する。蓋体１１２は、本体１１０と対向する側の蓋部位１１２ａ裏面に、光拡散機能を持たせているので、被写体Ｈは、蓋部位１１２ａの裏面で反射した光（拡散光）にても、照射される。
【００２８】
次に、蓋体１１２や撮像部１３０の駆動保持機構について説明する。図８は蓋体１１２が図３に示す被写体撮像姿勢を取った場合の駆動保持機構をその上面から透視して示す説明図、図９はこの被写体撮像姿勢における駆動保持機構を分解して示す説明図である。
【００２９】
本体１１０と蓋体１１２並びに撮像部１３０は、共にプラスチック製の外殻を備え、その内部の薄板鋼板を骨格として備える。図示するように、本体１１０は、プレート１１１ａをメイン骨格とし、一端側左右にコの字状に屈曲したブリッジ１１１ｂをネジ止めして備える。プレート１１１ａは、本体１１０が形成する撮像部収容切欠１１０ａに適合した切欠１１１ｃを備える。ブリッジ１１１ｂは、既述した本体１１０の隆起部１１０ｃの中に組み込まれ、本体１１０に対する蓋体１１２の係合、撮像部１３０の回動のための骨格として機能する。
【００３０】
蓋体１１２は、プレート１１３ａをメイン骨格とし、その一端左右に、本体１１０のブリッジ１１１ｂとの係合保持のための保持片１１３ｂを有する。この保持片１１３ｂは折り曲げ形成されている。プレート１１３ａは、保持片１１３ｂの側に中央に、蓋体１１２が形成する切欠１１２ｄに適合した切欠１１３ｃを有する。
【００３１】
撮像部１３０は、コの字状に屈曲したブリッジ１３１ａをフレームとし、ブリッジ内にＣＣＤ撮像素子やレンズ群等の撮像機器を収納して構成される。ブリッジ１３１ａは、レンズ・ＣＣＤ撮像素子を、撮像対象に向かわせるため、窓１３１ｂを有する。
【００３２】
こうしたプレート等により、本体１１０、蓋体１１２および撮像部１３０は、次のように係合保持されている。以下の説明に当たり、次の図面を用いる。図１０は図９において右側のメインの駆動保持機構を説明するための説明図、図１１は蓋体１１２回動の際の節度感付与のための構成の一例を示す説明図、図１２は回動の際の節度感付与のための構成の一例を示す説明図、図１３は図１０における１３−１３線方向から矢視した場合の構成を説明する説明図である。
【００３３】
図９に示すように、図中左右のブリッジ１１１ｂには、それぞれ駆動保持機構が組み込まれる。右方の駆動保持機構は、本体１１０と蓋体１１２の回動動作および撮像部１３０の回動動作のためのメイン機構１５０とされている。左方の駆動保持機構は、撮像部１３０からの信号・電源線等の引き回しのための機能を果たしつつ、上記回動動作を左方側で補助的に担うサブ機構１７０とされている。
【００３４】
メイン機構１５０は、保持片１１３ｂの側から、蓋体軸支駒１５１、樹脂座金１５２、スリーブ１５３、蓋体規制駒１５４、撮像部軸支駒１５５、樹脂座金１５６および駒台座１５７を有する。このうち、蓋体軸支駒１５１と樹脂座金１５２とスリーブ１５３および蓋体規制駒１５４は、本体１１０と蓋体１１２の係合保持に関与する。撮像部軸支駒１５５と樹脂座金１５６および駒台座１５７は、本体１１０と撮像部１３０との係合保持に関与する。
【００３５】
サブ機構１７０は、保持片１１３ｂの側から、固定用ディスク１７１、樹脂座金１７２、スリーブ１７３、蓋体軸支体１７４および撮像部軸支用両軸スリーブ１７５を有する。このうち、固定用ディスク１７１、樹脂座金１７２、スリーブ１７３および蓋体軸支体１７４は、本体１１０と蓋体１１２の係合保持に関与する。撮像部軸支用両軸スリーブ１７５は、本体１１０と撮像部１３０との係合保持に関与する。
【００３６】
上記した両駆動保持機構による係合保持について、まず、本体１１０と蓋体１１２の係合保持から順次説明する。
【００３７】
メイン機構１５０における蓋体軸支駒１５１は、保持片１１３ｂの係合孔１１３ｅにその軸１５１ａを入れ込み、軸外周のスリット１５８に係合孔１１３ｅの係合爪１１３ｆを入り込ませる。よって、蓋体軸支駒１５１は、保持片１１３ｂ、延いては、蓋体１１２と一体となり、その軸１５１ａを蓋体１１２の回転軸とする。この際、樹脂座金１５２が保持片１１３ｂの外側に配置される。
【００３８】
係合孔１１３ｅを突出した軸１５１ａにはスリーブ１５３が装着され、軸１５１ａは、ブリッジ１１１ｂの係合孔１１１ｄを貫通しブリッジ１１１ｂの内部に到る。蓋体規制駒１５４は、この軸１５１ａの先端を上面の有底孔に差し込んだ状態で、蓋体軸支駒１５１とネジ締めされる。これにより、保持片１１３ｂを有する蓋体１１２は、ブリッジ１１１ｂを有する本体１１０に対して、ブリッジ１１１ｂの係合孔１１１ｄにおいて蓋体軸支駒１５１の軸１５１ａを回動自在とする。よって、メイン機構１５０により、蓋体１１２はその一方の側で本体１１０に対して回転自在に係合されることになる。
【００３９】
蓋体１１２の他方の側のサブ機構１７０では、次のようになる。蓋体軸支体１７４は、本体１１０のブリッジ１１１ｂの内側からその係合孔１１１ｅにその軸１７４ａを入り込ませ、この軸１７４ａを係合孔１１１ｅにおいて回動自在とする。そして、この蓋体軸支体１７４は、スリーブ１７３を介在させて、蓋体１１２の保持片１１３ｂにおける係合孔１１３ｅに軸１７４ａを入り込ませ、更に樹脂座金１７２を介在させて固定用ディスク１７１とネジ締めされる。この場合、軸１７４ａにあっても蓋体軸支駒１５１の軸１５１ａと同様の溝を有するので、この溝に係合爪１１３ｆを入り込ませて保持片１１３ｂ、延いては蓋体１１２と一体となる。よって、蓋体１１２は、先に説明したメイン機構１５０とこのサブ機構１７０により、その上端両側で本体１１０に対して回転自在に係合されることになる。
【００４０】
撮像部１３０の保持係合は次の通りである。メイン機構１５０では、撮像部１３０のブリッジ１３１ａにネジ止めされた駒台座１５７の軸１５７ａをブリッジ１１１ｂの係合孔１１１ｅに入り込ませる。そして、この軸１５７ａをブリッジ１１１ｂの内側に配置させた撮像部軸支駒１５５の有底孔に差し込んだ状態で、駒台座１５７と撮像部軸支駒１５５とを、樹脂座金１５６を介在させた上で撮像部軸支駒１５５の側からその中央でネジ締めする。これにより、ブリッジ１３１ａを有する撮像部１３０は、ブリッジ１１１ｂを有する本体１１０に対して、ブリッジ１１１ｂの係合孔１１１ｅにおいて駒台座１５７の軸１５７ａを回動自在とする。よって、メイン機構１５０により、撮像部１３０はその一方の側で本体１１０に対して回転自在に係合されることになる。
【００４１】
撮像部軸支駒１５５は、蓋体規制駒１５４の側端面に扇状の突起１５５ａを有するが、この突起１５５ａは蓋体規制駒１５４と干渉しないようにされている。詳細については後述する。
【００４２】
サブ機構１７０では、撮像部軸支用両軸スリーブ１７５を、撮像部１３０のブリッジ１３１ａと本体１１０のブリッジ１１１ｂとの間に介在させる。撮像部軸支用両軸スリーブ１７５は、ブリッジ１３１ａの係合孔１３１ｃに対しては、キー１７５ａにて回転しないようにして軸１７５ｂを入り込ませ、ブリッジ１１１ｂの係合孔１１１ｄに対しては回動自在に軸１７５ｃを入り込ませている。よって、撮像部１３０は、メイン機構１５０とこのサブ機構１７０により、その両側で本体１１０の左右のブリッジ１１１ｂの間において、本体１１０に対して回転自在に係合されることになる。
【００４３】
このように、撮像部１３０の左右の係合保持は、本体１１０に対する蓋体１１２の係合保持と部材の干渉とを起こすことなく独立とされている。よって、本実施例では、撮像部１３０の撮像向きを、蓋体１１２の姿勢に拘わらず図３や図４に示すように変更することができる。
【００４４】
サブ機構１７０における撮像部軸支用両軸スリーブ１７５は、その貫通孔を撮像部１３０からの信号・電源線の配設孔とするので、撮像部１３０が上記のように回動しても、配線の取り回しに支障はない。
【００４５】
次に、蓋体１１２や撮像部１３０の回動の制限について説明する。
本実施例では、図３に示す被写体撮像姿勢の時はもとより、図４のｗｅｂカメラ姿勢にあっても、本体１１０を支える蓋体１１２の安定性、装置全体の安定性から、本体１１０と蓋体１１２の開き確度を約６０°とした。これにより、図５のように、机上に撮像装置１００を載置した状態では、本体１１０と蓋体１１２は机上面を含めてほぼ正三角形を形成し、安定性が高まる。
【００４６】
こうした蓋体１１２の開き状態を定常的とするため、メイン機構１５０は、ブリッジ１１１ｂに２カ所の凸部を備え、これにより蓋体１１２の開き状態を規制しつつ、ユーザには蓋体１１２の閉じ状態、開き状態の姿勢変化の際の節度感を与えている。そのための構成は以下の通りである。
【００４７】
図１１に示すように、ブリッジ１１１ｂは、その内側に凸部１１１ｆ、１１１ｇを有する。これら凸部は、いわゆるハーフパンチ手法にてブリッジ１１１ｂに隆起形成される。このブリッジ１１１ｂの内側に位置し既述したように保持片１１３ｂと係合された蓋体規制駒１５４は、外周壁に突起１５４ａを備える。よって、この蓋体規制駒１５４、延いては保持片１１３ｂを有する蓋体１１２は、突起１５４ａがブリッジ１１１ｂの凸部１１１ｆ、１１１ｇでその動きが規制さえる範囲で、ブリッジ１１１ｂの側の本体１１０に対して回動する。本実施例では、この範囲が既述した約６０°となるようにされている。
【００４８】
また、蓋体規制駒１５４は、突起１５４ａが凸部１１１ｆ、１１１ｇに接する際にユーザに節度感を付与する節度感付与機構１６０を備える。この節度感付与機構１６０は、図１２に示すように、鋼球１６１をスプリング１６２で押し付け、相手側部材（この場合は、ブリッジ１１１ｂ）に設けた凹所１６３に鋼球１６１を入り込ませることで節度感を付与する。この節度感付与機構１６０により、蓋体１１２の閉じ状態と開き状態の間で回動させる際、つまりは、蓋体１１２を閉じたり開いたりして撮像装置１００を被写体撮像姿勢とｗｅｂカメラ姿勢の両姿勢とする際の節度感を与えるため、ブリッジ１１１ｂには図１２に示す凹所１６３が２カ所形成されている。これら凹所箇所は図示しないが、突起１５４ａが凸部１１１ｆ、１１１ｇに接する際に、蓋体規制駒１５４が有する節度感付与機構１６０の鋼球１６１が入り込むようにされている。
【００４９】
撮像部１３０については次の構成を取った。まず、撮像部軸支駒１５５は、ブリッジ１１１ｂに組み込まれた状態で、蓋体規制駒１５４の側に突起１５５ａを突出させる。蓋体規制駒１５４についても、この撮像部軸支駒１５５の側に、突起１５４ｂを有する。このため、撮像部１３０は、撮像部軸支駒１５５の突起１５５ａと蓋体規制駒１５４の突起１５４ｂとが干渉しない範囲において、メイン機構１５０とサブ機構１７０により回動する。そして、本実施例では、蓋体１１２が開いて本体１１０を斜めに支持した状態で、撮像部１３０が図３に示す被写体撮像姿勢と図４に示すｗｅｂカメラ姿勢を取り得るよう、上記の両突起はその干渉を避けるよう形成されている。
【００５０】
また、撮像部１３０の向きは跨ぎ領域ＭＲの被写体と本体上面上部に変わることから、撮像部１３０の向きの再現性を図るため、撮像部軸支駒１５５は、図１０に示すように、既述した節度感付与機構１６０を有する。この場合、鋼球１６１が入り込む凹所１６３は、突起１５４ｂの端面に形成されている。
【００５１】
撮像部１３０がその撮像向きを変える場合、蓋体１１２は本体１１０に対して同じ姿勢である。つまり、撮像部軸支駒１５５が撮像部１３０と一体に回動するのに対し、蓋体規制駒１５４はこの間、動くことはない。よって、撮像部１３０の撮像向きが変わる際には撮像部軸支駒１５５が蓋体規制駒１５４に対して回動するので、図１３に示すように、撮像部軸支駒１５５は２カ所の位置に鋼球１６１を組み込んでいる。この２カ所の鋼球１６１組み込み箇所が、撮像部１３０の向きが跨ぎ領域ＭＲの被写体となったときの位置と、本体上面上部になったときの位置に該当するようにされている。そして、それぞれの鋼球１６１が突起１５４ｂの凹所１６３に入り込むことで、ユーザは、撮像部１３０が上記の両位置に来たことを、節度感を持って知覚することができる。
【００５２】
次に、本実施例の撮像装置１００の電気的な構成について説明する。図１４は撮像装置１００の電気的構成を示すブロック図である。
図示するように、撮像装置１００は、撮像部１３０から取得した画像を液晶表示パネル１１４或いは外部の表示装置に表示するための画像信号の生成に関与する電子機器の少なくとも一部を本体１１０に内蔵する。そして、この撮像装置１００は、コントローラ２００を中心に備え、種々の信号処理を行う。このコントローラ２００は、ＣＰＵ・ＲＯＭ・ＲＡＭおよび入出力ポートを相互にバスにて接続した論理演算回路として構成できるほか、種々の電子デバイスを用いた回路構成とすることもできる。
【００５３】
コントローラ２００は、撮像部１３０のＣＣＤ撮像素子の取得した信号を、Ａ／Ｄ変換回路２１０（アナログ・デシタル変換回路）、信号処理回路２２０を経てＲＧＢ信号として入力し、その出力先を、本体１１０表面に備えるスイッチ群２３０の操作状況に応じて切り換える。つまり、コントローラ２００は、このスイッチ群のスイッチ操作により、撮像部１３０で得られた撮像画像の表示態様を次のように切り換える。
【００５４】
第１の表示態様は、撮像部１３０の撮像画像を、本体１１０に設けた液晶表示パネル１１４に表示するか、外部の表示装置に表示するかを選択的に切り換える態様である。スイッチ操作によりこの態様が選択されれば、コントローラ２００は、その選択された側の表示装置に、撮像部１３０のＣＣＤ撮像素子の取得した信号を出力する。液晶表示パネル１１４が選択されれば、コントローラ２００は、この液晶表示パネル１１４に画像信号を出力し、液晶表示パネル１１４にて画像表示を行う。その一方、外部の表示装置が選択されれば、画像信号の出力先を出力コネクタ１２０を経て外部の表示装置に切り換える。これにより、撮像装置１００は、撮像部１３０の撮像画像を、本体１１０に設けた液晶表示パネル１１４に表示したり、外部の表示装置に表示したりできる。この場合、スイッチ群のスイッチ操作の状況によって、集音マイク１２３の集音した音声信号を、画像信号と共に出力コネクタ１２０を経て外部に出力することもできる。
【００５５】
第２の表示態様は、撮像部１３０の撮像画像を、本体１１０に設けた液晶表示パネル１１４に表示しつつ、外部の表示装置でも表示する態様である。スイッチ操作によりこの態様が選択されれば、コントローラ２００は、液晶表示パネル１１４に信号出力を行いつつ、出力コネクタ１２０を経ても外部の表示装置に信号出力を行う。こうすれば、撮像部１３０の撮像画像を、液晶表示パネル１１４と外部の表示装置の両者で表示できる。
【００５６】
第３の表示態様は、表示画像を選択するものである。即ち、コントローラ２００は、スイッチ群のスイッチ操作により、撮像部１３０からの画像信号か、ビデオカメラ、パソコン等の外部の映像機器からの画像信号入力のためのビデオ入力端子１２２からの画像信号か、メモリ内の画像信号入力のための装着部１１８からの画像信号のいずれかを選択し、その選択した画像信号を、液晶表示パネル１１４と外部の表示装置、或いはその両者に出力する。こうすれば、撮像部１３０の撮像画像、外部の撮像機器或いはメモリ内の撮像画像を、液晶表示パネル１１４と外部の表示装置のいずれか、或いはその両者で表示できる。
【００５７】
この他、撮像装置１００の内部には、電源ユニット２５０から電源コネクタ１１６を介して供給された電源Ｖｃｃを、スイッチ群２３０に含まれる電源スイッチを経由して、供給する電源ラインが引き回されている。従って、電源ユニット２５０が電源コネクタ１６９に接続されていても、電源スイッチをオンにしない限り、撮像装置１００は、動作しない構成となっている。電源スイッチを入れれば、コントローラ２００により既述したように液晶表示パネル１１４への画像信号出力や、出力コネクタ１２０を介した外部の表示装置への画像信号出力が行われる。また、スイッチ群２３０に含まれるランプスイッチをターンオンすることで、照明ユニット１４０が点灯する。
【００５８】
本実施例では、上記したコントローラ２００等の電子機器を本体１１０に内蔵したが、そのいくつかを蓋体１１２に配設することもできる。例えば、画像信号の入力に係るＡ／Ｄ変換回路２１０や信号処理回路２２０を、蓋体１１２に配設するようにすることもできる。
【００５９】
上記構成を有する本実施例の撮像装置１００は、本体１１０とこれを支える脚として機能する蓋体１１２とを備え、本体１１０に、撮像部１３０の撮像した画像の画像信号の生成に関与するコントローラ２００等の電子機器を内蔵する。蓋体１１２は、メイン機構１５０とサブ機構１７０にて、本体１１０の一端側に回動自在に係合され、図１に示すように本体１１０と重なった第１姿勢と、本体１１０から一端が離れて本体とＶ字状となる第２姿勢とを取る。蓋体１１２は、この第２姿勢において、机等の上面対して傾斜した姿勢の本体１１０を支え、この本体１１０と蓋体１１２とで、机等の被写体載置物の上面の被写体を跨ぐ跨ぎ領域ＭＲを形成する。そして、この跨ぎ領域ＭＲに置かれた被写体Ｈを跨いだ状態で、撮像装置１００は、その有する撮像部１３０を被写体Ｈに向かわせることができる。
【００６０】
このため、撮像装置１００によれば、この跨ぎ領域ＭＲにある被写体Ｈの撮像に際しては、上記したように本体１１０と蓋体１１２がＶ字状となるようにして、本体１１０をこの被写体載置物上面に対して傾斜させればよく、本体をこの被写体載置物から持ち上げたりする必要がない。よって、本実施例の撮像装置１００によれば、上記の被写体撮影に際して装置重心を不用意に高くしないので、被写体撮像時の安定性に優れる。しかも、撮像装置１００では、こうした被写体撮像に際して、本体１１０に装着済みの蓋体１１２を、本体１１０を傾斜して支えるよう第２姿勢にするだけで済むので、具体的には蓋体１１２を開けば済むので、その操作はもとより取り扱いも簡便である。
【００６１】
撮像装置１００は、蓋体１１２を閉じたり開いたりして上記した第１、第２の姿勢を取るが、メイン機構１５０において、蓋体規制駒１５４の突起１５４ａとブリッジ１１１ｂの凸部１１１ｆ、１１１ｇとの干渉を起こすことで、蓋体１１２の第１、第２の姿勢が定まるようにした。よって、蓋体１１２を開いて第２姿勢をとし、撮像装置１００を図３や図５の実線描画の被写体撮像姿勢とする場合の再現性が高まり、跨ぎ領域ＭＲにおける被写体Ｈとこれに向かう撮像部１３０との隔たりを維持できる。よって、撮像部１３０を固定焦点タイプのものとできるので、構成の簡略化、延いては装置の小型軽量化を図ることができると共に、これらにより、装置の携帯性も高まり好ましい。
【００６２】
更に、撮像装置１００では、蓋体規制駒１５４に節度感付与機構１６０を設け、ユーザが蓋体１１２を第１姿勢から第２姿勢に姿勢変化させる際に、ユーザに節度感を付与するようにした。よって、この節度感により、ユーザは蓋体１１２が第２姿勢の位置となったこと、即ち撮像装置１００が正しく被写体撮像姿勢を取ったことを知覚できるので、好ましい。
【００６３】
この他、撮像部１３０を本体１１０に対して回動自在とし、蓋体１１２が上記の第２姿勢にあるときに、この撮像部１３０を跨ぎ領域ＭＲの被写体Ｈに向かう被写体撮像姿勢と、本体正面上部に向いたｗｅｂカメラ姿勢とを取り得るようにした。このため、本実施例の撮像装置１００によれば、撮像部１３０による撮像の自由度が高まり、多様な使い方を提供できる。
【００６４】
また、本実施例の撮像装置１００では、本体１１０に液晶表示パネル１１４と集音マイク１２３を備え付けたので、撮像部１３０が撮像した画像を本体側で視認できたり、音声を画像と一緒に外部に出力でき、好ましい。
【００６５】
しかも、液晶表示パネル１１４による画像表示と外部の表示装置による画像表示とを、切り換えたり、液晶表示パネル１１４に撮像画像を表示しつつその画像を外部の表示装置でも表示できる。また、本体１１０に、ビデオ入力端子１２２や装着部１１８を設け、デジタルカメラやメモリ等の画像をも、液晶表示パネル１１４に直接表示したり、本装置をスルーして（経由して）これら画像を外部の表示装置に表示できる。これらの結果、画像表示についての多様な使い方を提供できる。
【００６６】
更に、撮像部１３０の左右に位置する隆起部１１０ｃの斜面１１０ｄに照明ユニット１４０を組み込んだので、跨ぎ領域ＭＲの被写体Ｈの撮像の際の光量不足をより有効に回避することができる。
【００６７】
次に、他の実施例について説明する。第２実施例は、蓋体１１２の開閉に連動して撮像部１３０を回動駆動させる点に特徴がある。図１５は第２実施例の図８相当図であり被写体撮像姿勢を取った場合の駆動保持機構をその上面から透視して示す説明図、図１６は第２実施例の図９相当図であり駆動保持機構を分解して示す説明図である。なお、以下の説明に当たっては、第１実施例と相違する構成について詳述することとする。
【００６８】
この第２実施例は、上記した特徴があるため、メイン機構１５０における蓋体規制駒と撮像部軸支駒の構成、サブ機構１７０における撮像部軸支用両軸スリーブの構成が相違する。この第２実施例では、メイン機構１５０の蓋体規制駒２５４は、蓋体１１２の動きを制限するための突起１５４ａ（突起２５４ａ）を有する点で蓋体規制駒１５４と共通するが、蓋体規制駒１５４に類する蓋体規制駒２５４を、撮像部１３０の回動動作に用いる。図１７はこの蓋体規制駒２５４と撮像部軸支駒２５５の関係を撮像部１３０の連動の様子と関連付けて説明する説明図である。
【００６９】
図１７に示すように、蓋体規制駒２５４は、撮像部軸支駒２５５の側に突出させた突起２５４ｂを、撮像部軸支駒２５５が有する扇状の陥没部２５５ａに、その左右の壁面（左方壁面２５５ａＬ、右方壁面２５５ａＲ）と遊びを持たせて入り込ませている。蓋体規制駒２５４は、蓋体規制駒１５４と同様、蓋体１１２の回動動作（開閉動作）と連動して回転する。今、蓋体１１２が図１に示す閉じ状態にあり（第１姿勢）、開かれる側に回動されるとする。そうすると、蓋体規制駒２５４は例えば図における矢印Ｘｏ方向に回転するので、陥没部２５５ａにおける突起２５４ｂの遊びの間において、蓋体規制駒２５４は単独で回転する。つまり、この間は蓋体１１２だけが回動する（開く）。
【００７０】
しかし、突起２５４ｂが右方壁面２５５ａＲに当接した以降は、蓋体規制駒２５４は、右方壁面２５５ａＲに突起２５４ｂを押し当てて撮像部軸支駒２５５を矢印Ｘｏの方向に沿って一緒に回転させる。これにより、撮像部１３０は回動し、図１における姿勢から図５中に実線で示す姿勢に推移する。そして、蓋体規制駒２５４の突起２５４ａが、蓋体規制駒１５４における突起１５４ａと同様にブリッジ１１１ｂの凸部１１１ｆに干渉すると、蓋体１１２は所定の姿勢（第２姿勢）で止まることになる。一方、撮像部１３０にあっても、跨ぎ領域ＭＲにおける被写体Ｈに向かう姿勢で止まる。
【００７１】
その逆に、開いた蓋体１１２を閉じる場合は、蓋体規制駒２５４は、矢印Ｘｃ方向に回転する。この場合、突起２５４ｂと左方壁面２５５ａＬの遊びの間において、蓋体規制駒２５４は単独で回転し、蓋体１１２だけが閉じ側に回動する。しかし、突起２５４ｂが左方壁面２５５ａＬに当接した以降は、蓋体規制駒２５４は、この左方壁面２５５ａＬに突起２５４ｂを押し当てて撮像部軸支駒２５５を矢印Ｘｃの方向に沿って一緒に回転させる。これにより、撮像部１３０は逆向きに回転し、図５中に実線で示す姿勢から図１の姿勢に復帰する。なお、この復帰の際のストッパー機能は、後述のサブ機構１７０に果たされる。
【００７２】
サブ機構１７０の撮像部軸支用両軸スリーブ２７５は、ブリッジ１１１ｂの係合孔１１１ｄとの関係で、撮像部１３０の復帰位置および蓋体１１２の復帰位置（第１姿勢）の確定、つまり、蓋体１１２の閉じ動作終了を確定する。図１８はこの撮像部軸支用両軸スリーブ２７５と係合孔１１１ｄの関係を撮像部１３０の連動の様子と関連付けて説明する説明図である。
【００７３】
撮像部軸支用両軸スリーブ２７５は、図１６に示すキー１７５ａにて撮像部１３０のブリッジ１３１ａと一体とされた上で、軸２７５ｃを本体１１０の側のブリッジ１１１ｂの係合孔１１１ｄに入り込ませている。この点は、先の実施例と同様である。本実施例では、撮像部軸支用両軸スリーブ２７５は、軸２７５ｃの側にもキー２７５ｄを備え、当該キーを、係合孔１１１ｄにおける扇状の切欠１１１ｈに入り込ませている。
【００７４】
よって、撮像部１３０が既述したように蓋体１１２の回動動作（開閉動作）に連動して動くと、撮像部軸支用両軸スリーブ２７５のキー２７５ｄは切欠１１１ｈの形成範囲内で、図１８中の矢印Ｘｏｃのように駆動する。撮像部１３０が跨ぎ領域ＭＲの被写体Ｈに向かうよう回動する場合は、既述したようにメイン機構１５０の側にて位置が決まるので、この回動動作の際には、キー２７５ｄは切欠１１１ｈにて遊びがある状態とされている。しかしながら、蓋体１１２の閉じ側の回動に伴う撮像部１３０の回動動作の際には、この撮像部１３０と一緒に回動する撮像部軸支用両軸スリーブ２７５は、そのキー２７５ｄを切欠１１１ｈの一方の端部に押し当てるので、それ以上の撮像部１３０の回動、蓋体１１２の閉じ動作は起きないようにされている。つまり、キー２７５ｄと切欠１１１ｈにより、撮像部１３０および蓋体１１２の復帰位置は定まる。
【００７５】
以上説明した第２実施例によれば、蓋体１１２の開き動作に連動させて撮像部１３０を回動させ、蓋体１１２の開きが終えると、撮像部１３０を跨ぎ領域ＭＲの被写体Ｈに向かわせることができる。つまり、蓋体１１２の姿勢変化に追従して撮像部１３０の向きを定まることができるので、跨ぎ領域ＭＲの被写体撮像に際しては、蓋体１１２をその規定位置まで開くだけで済み簡便である。
【００７６】
次に、変形例について説明する。図１９は変形例の撮像装置１００を説明するため撮像装置１００を横方向から示す説明図、図２０はこの変形例の撮像装置１００を蓋体１１２の背面から示す説明図、図２１は蓋体１１２が有するプレート１１３ａを示す説明図である。
【００７７】
図示するように、この変形例では、蓋体１１２は、その背面に開閉板３００を備える。この開閉板３００は、蓋体１１２の下端に回動自在に係合されており、プレート１１３ａに形成された窓１１３ｄを解放・閉鎖する。この場合、窓１１３ｄは、開閉板３００の外形形状より僅かに小さくされており、窓周縁を、開閉板３００が蓋体１１２に重なったときの支えとする。
【００７８】
この変形例によれば、開閉板３００を図１９に示すように開くことで、蓋体１１２の窓１１３ｄを露出させる。よって、跨ぎ領域ＭＲに窓１１３ｄを通して外部から光を導くことができるので、被写体撮像に際しての光量不足を招きにくくでき、好ましい。照明ユニット１４０を省略することも可能となり、軽量化、コスト低減の観点からも有益である。この場合、窓１１３ｄには、乱反射による光の拡散機能と透光性を併せ持つスリガラス等の透光部材を嵌め込むようにすることもできる。こうすれば、被写体Ｈには拡散光を導くので被写体照射の上から好ましい。
【００７９】
以上いくつかの実施例について説明したが、本発明はこれら実施例や実施形態に限られるものではなく、その要旨を逸脱しない範囲において、種々の態様で実施可能である。例えば、次のような変形も可能である。図２２はまた別の変形例の撮像装置１００を示す説明図である。
【００８０】
図示するように、この変形例は、本体１１０の隆起部１１０ｃにＬＥＤを収納し、その照射向きを蓋体１１２の裏面とする。そして、蓋体１１２の裏面には、光の拡散機能を併せ持つ反射板１１２ｅを設ける。こうすれば、被写体Ｈを間接的に照射でき、被写体Ｈ撮像に好ましい。
【図面の簡単な説明】
【００８１】
【図１】第１実施例の撮像装置１００の概略斜視であって蓋を閉じた状態の斜視図である。
【図２】同じく蓋を閉じた状態の撮像装置１００の正面・側面および背面を示す説明図である。
【図３】この撮像装置１００の机上面の被写体撮像時の状態を示す斜視図である。
【図４】撮像装置１００にて周囲を撮像する際の状態を示す斜視図である。
【図５】撮像部１３０の取り得る姿勢を説明するための説明図である。
【図６】照明ユニットの装着の様子を説明するための説明図である。
【図７】照明ユニット１４０の分解図と完成図を示す説明図である。
【図８】蓋体１１２が図３に示す被写体撮像姿勢を取った場合の駆動保持機構をその上面から透視して示す説明図である。
【図９】この被写体撮像姿勢における駆動保持機構を分解して示す説明図である。
【図１０】図９において右側のメインの駆動保持機構を説明するための説明図である。
【図１１】蓋体１１２回動の際の節度感付与のための構成の一例を示す説明図である。
【図１２】回動の際の節度感付与のための構成の一例を示す説明図である。
【図１３】図１０における１３−１３線方向から矢視した場合の構成を説明する説明図である。
【図１４】撮像装置１００の電気的構成を示すブロック図である。
【図１５】第２実施例の図８相当図であり被写体撮像姿勢を取った場合の駆動保持機構をその上面から透視して示す説明図である。
【図１６】第２実施例の図９相当図であり駆動保持機構を分解して示す説明図である。
【図１７】蓋体規制駒２５４と撮像部軸支駒２５５の関係を撮像部１３０の連動の様子と関連付けて説明する説明図である。
【図１８】撮像部軸支用両軸スリーブ２７５と係合孔１１１ｄの関係を撮像部１３０の連動の様子と関連付けて説明する説明図である。
【図１９】変形例の撮像装置１００を説明するため撮像装置１００を横方向から示す説明図である。
【図２０】この変形例の撮像装置１００を蓋体１１２の背面から示す説明図である。
【図２１】蓋体１１２が有するプレート１１３ａを示す説明図である。
【図２２】別の変形例の撮像装置１００を示す説明図である。
【符号の説明】
【００８２】
１１０...本体
１１０ａ...撮像部収容切欠
１１０ｂ...顎
１１０ｃ...隆起部
１１０ｄ...斜面
１１１ａ...プレート
１１１ｂ...ブリッジ
１１１ｃ...切欠
１１１ｄ...係合孔
１１１ｅ...係合孔
１１１ｆ...凸部
１１１ｈ...切欠
１１２...蓋体
１１２ａ...蓋部位
１１２ｂ...フラップ部位
１１２ｃ...ブリッジ部位
１１２ｄ...切欠
１１２ｅ...反射板
１１３ａ...プレート
１１３ｂ...保持片
１１３ｃ...切欠
１１３ｄ...窓
１１３ｅ...係合孔
１１３ｆ...係合爪
１１４...液晶表示パネル
１１６...電源コネクタ
１１８...装着部
１２０...出力コネクタ
１２２...ビデオ入力端子
１２３...集音マイク
１３０...撮像部
１３１ａ...ブリッジ
１３１ｂ...窓
１３１ｃ...係合孔
１４０...照明ユニット
１４２...ホルダ
１４３...光反射板
１４４...透光窓
１４５...光拡散板
１５０...メイン機構
１５１...蓋体軸支駒
１５１ａ...軸
１５２...樹脂座金
１５３...スリーブ
１５４...蓋体規制駒
１５４ａ...突起
１５４ｂ...突起
１５５...撮像部軸支駒
１５５ａ...突起
１５６...樹脂座金
１５７...駒台座
１５７ａ...軸
１５８...スリット
１６０...節度感付与機構
１６１...鋼球
１６２...スプリング
１６３...凹所
１６９...電源コネクタ
１７０...サブ機構
１７１...固定用ディスク
１７２...樹脂座金
１７３...スリーブ
１７４...蓋体軸支体
１７４ａ...軸
１７５...撮像部軸支用両軸スリーブ
１７５ａ...キー
１７５ｂ...軸
１７５ｃ...軸
２００...コントローラ
２２０...信号処理回路
２３０...スイッチ群
２５０...電源ユニット
２５４...蓋体規制駒
２５４ａ...突起
２５４ｂ...突起
２５５...撮像部軸支駒
２５５ａ...陥没部
２５５ａＬ...左方壁面
２５５ａＲ...右方壁面
２７５...撮像部軸支用両軸スリーブ
２７５ｃ...軸
２７５ｄ...キー
３００...開閉板
Ｈ...被写体
ＭＲ...跨ぎ領域
【図１】
2005300960.tif 000003
【図２】
2005300960.tif 000004
【図３】
2005300960.tif 000005
【図４】
2005300960.tif 000006
【図５】
2005300960.tif 000007
【図６】
2005300960.tif 000008
【図７】
2005300960.tif 000009
【図８】
2005300960.tif 000010
【図９】
2005300960.tif 000011
【図１０】
2005300960.tif 000012
【図１１】
2005300960.tif 000013
【図１２】
2005300960.tif 000014
【図１３】
2005300960.tif 000015
【図１４】
2005300960.tif 000016
【図１５】
2005300960.tif 000017
【図１６】
2005300960.tif 000018
【図１７】
2005300960.tif 000019
【図１８】
2005300960.tif 000020
【図１９】
2005300960.tif 000021
【図２０】
2005300960.tif 000022
【図２１】
2005300960.tif 000023
【図２２】
2005300960.tif 000024